(57)【要約】【課題】  画像の表示方法等を閲覧者の好み等に応じてカスタマイズできる画像ビューア及びその画像表示プログラム並びに画像表示方法の提供。【解決手段】  実際に表示された画像の種類及びその表示時の各種状況等を示す表示データをその画像ごとに取得すると共に、その表示データごとにポイントを設定して合計ポイントを集計し、集計された合計ポイントが高い画像を優先的に選択して表示する。これによって、従来の画像ビューアＶでは画一的な表示しかできなかった表示等が自動的にカスタマイズされてその閲覧者の好みや人気等を反映した的確な画像表示を行うことができる。【選択図】        図１
2004318861.tif 000002
【特許請求の範囲】
【請求項１】
画像データから画像を形成して表示する表示部を有する画像ビューアであって、
前記表示部に表示された画像の表示時の状況を示す表示データを取得する表示データ取得手段と、
当該表示データ取得手段で取得された表示データにポイントを設定するポイント設定手段と、
当該ポイント設定手段で設定されたポイントの合計を前記画像ごとに集計するポイント集計手段と、
当該ポイント集計手段で集計された合計ポイントに基づいて表示する画像を選択する画像選択手段と、
当該画像選択手段で選択された画像を前記表示部に表示する画像表示手段とを有することを特徴とする画像ビューア。
【請求項２】
請求項１に記載の画像ビューアにおいて、
前記画像選択手段は、前記ポイント集計手段で集計された合計ポイントの高い順に画像を選択する機能を有することを特徴とする画像ビューア。
【請求項３】
請求項１又は２に記載の画像ビューアにおいて、
前記ポイント設定手段は、前記表示データに設定するポイントに重み付けを行う機能を有することを特徴とする画像ビューア。
【請求項４】
請求項１〜３のいずれか１項に記載の画像ビューアにおいて、
前記表示データ取得手段は、他の画像ビューアの表示データをネットワークを介して取得する機能を有することを特徴とする画像ビューア。
【請求項５】
請求項４に記載の画像ビューアにおいて、
前記表示データ取得手段は、ネットワークを介して取得した他の画像ビューアの表示データに基づいて表示データを更新する機能を有することを特徴とする画像ビューア。
【請求項６】
請求項１〜５のいずれか１項に記載の画像ビューアにおいて、
前記表示データ取得手段で取得された表示データ及び前記ポイント集計手段で集計された合計ポイントに関するデータを、その画像の画像データ内にまとめて保存するデータ統合手段を有することを特徴とする画像ビューア。
【請求項７】
請求項１〜５のいずれか１項に記載の画像ビューアにおいて、
前記表示データ取得手段で取得された表示データ及び前記ポイント集計手段で集計された合計ポイントに関するデータを、その画像データと関連付けて保存するデータ関連付け手段を有することを特徴とする画像ビューア。
【請求項８】
請求項１〜７のいずれか１項に記載の画像ビューアにおいて、
前記画像表示手段は、前記画像選択手段で選択された画像を前記表示部にまとめて表示するに際し、前記ポイント集計手段で集計された合計ポイントに基づいて表示する画像の大きさを決定する機能を有することを特徴とする画像ビューア。
【請求項９】
請求項１〜７のいずれか１項に記載の画像ビューアにおいて、
前記画像表示手段は、前記画像選択手段で選択された画像を前記表示部にまとめて表示するに際し、前記ポイント集計手段で集計された合計ポイントが高い画像を優先的に大きく表示する機能を有することを特徴とする画像ビューア。
【請求項１０】
請求項１〜７のいずれか１項に記載の画像ビューアにおいて、
前記画像表示手段は、前記画像選択手段で選択された画像を前記表示部に順に表示するに際し、前記ポイント集計手段で集計された合計ポイントが高い画像から順に表示する機能を有することを特徴とする画像ビューア。
【請求項１１】
請求項１〜７のいずれか１項に記載の画像ビューアにおいて、
前記画像表示手段は、前記画像選択手段で選択された画像を前記表示部に順に表示するに際し、前記ポイント集計手段で集計された合計ポイントに基づいてその表示時間を調節する機能を有することを特徴とする画像ビューア。
【請求項１２】
画像データから画像を形成して表示する表示部を有する画像ビューアに用いられる画像表示プログラムであって、コンピュータを
前記表示部に表示された画像の表示時の状況を示す表示データを取得する表示データ取得手段と、
当該表示データ取得手段で取得された表示データにポイントを設定するポイント設定手段と、
当該ポイント設定手段で設定されたポイントの合計を前記画像ごとに集計するポイント集計手段と、
当該ポイント集計手段で集計された合計ポイントに基づいて表示する画像を選択する画像選択手段と、
当該画像選択手段で選択された画像を前記表示部に表示する画像表示手段と、
して機能させることを特徴とする画像表示プログラム。
【請求項１３】
画像データから画像を形成して画像ビューアの表示部に表示するようにした画像表示方法であって、
前記表示部に表示された画像の表示時の状況を示す表示データを取得する表示データ取得ステップと、
当該表示データ取得ステップで取得された表示データにポイントを設定するポイント設定ステップと、
当該ポイント集計ステップで設定されたポイントの合計を前記画像ごとに集計するポイント集計ステップと、
当該画像集計ステップで集計された合計ポイントに基づいて表示する画像を選択する画像選択ステップと、
当該画像選択ステップで選択された画像を前記表示部に表示する画像表示ステップと、を有することを特徴とする画像表示方法。
【発明の詳細な説明】
【技術分野】
【０００１】
本発明は、デジタルカメラ等で撮影されたデジタル画像を表示すべく、デジタルカメラ等に組み込まれて、又は独立して利用される、いわゆる画像ビューア（デジタル画像表示装置）及びその画像表示プログラム並びに画像表示方法に関するものである。
【背景技術】
【０００２】
撮影した人物や風景等の静止画像や動画像をデジタルデータとして記録するデジタルカメラは、その使い勝手の良さや低価格化等によって近年急激に人気が高まってきており、最近ではその販売台数も従来のフィルム式カメラを上回る勢いとなっている。
そして、このようなデジタルカメラで撮影された画像は、そのままそのデジタルカメラに据え付けの小型液晶モニタで閲覧したり、又はプリンタ等によって印刷用紙上にプリントアウトして楽しむことができる他、いわゆる画像ビューアと称される大画面、高画質の液晶モニタを備えたデジタル画像表示装置によっても楽しむことができる。
【０００３】
特に、このような画像ビューアを用いれば、撮影した画像をいちいちプリントアウトする手間、並びにプリントアウト用紙やその保存スペースが不要となる上に、撮影直後でも撮影した画像を大きく美しい画面で見ることができることから、今後、デジタルカメラの普及に伴って益々需要が高まっていくものと考えられている。
【特許文献１】特開２００１−２２８５２８号公報
【発明の開示】
【発明が解決しようとする課題】
【０００４】
ところで、このような従来の画像ビューアは、画像のデジタルデータに依存した画一的な方法や順序でしか表示できないため、その閲覧者の好み等に応じてその画像の表示方法や順序を適宜変えることができない。
すなわち、従来の従来の画像ビューアは、表示する画像が複数ある場合には、原則として撮影順にその画像を表示するようになっているため、例えば、３０番目に表示された画像が気に入った場合には、次回以降にその画像を見るためには、その画像に至るまでにその前に撮影された不要な画像を順送りに繰り返し見なければならないといった不都合があった。特に、これは表示される画像が数十から数百枚に至った場合には、それを検索するだけでも非常に時間が掛かるものである。 
【０００５】
さらに、従来の画像ビューアは、その画像を表示したときの表示状況を取得・保存する機能がなく、その表示時の感想や思い出等を残すことができないといった問題点がある。
そこで、本発明はこのような課題を有効に解決するために案出されたものであり、その目的は、画像の表示方法や順番等を閲覧者の好みや人気等に応じてカスタマイズすることができる新規な画像ビューア及びその画像表示プログラム並びに画像表示方法を提供するものである。
【課題を解決するための手段】
【０００６】
〔発明１〕前記課題を解決するために発明１の画像ビューアは、
画像データから画像を形成して表示する表示部を有する画像ビューアであって、前記表示部に表示された画像の表示時の状況を示す表示データを取得する表示データ取得手段と、当該表示データ取得手段で取得された表示データにポイントを設定するポイント設定手段と、当該ポイント設定手段で設定されたポイントの合計を前記画像ごとに集計するポイント集計手段と、当該ポイント集計手段で集計された合計ポイントに基づいて表示する画像を選択する画像選択手段と、当該画像選択手段で選択された画像を前記表示部に表示する画像表示手段とを有することを特徴とするものである。
【０００７】
このような構成としたことにより、表示データ取得手段によって、実際に表示された画像及びその表示時の各種状況を示す表示データ、例えばその「表示時間」、「表示回数」、「表示場所」等のそのときの表示状況に関する各種データを取得した後、ポイント設定手段によってこの表示データごとにポイントを設定すると共に、ポイント集計手段によって設定されたポイントの合計を画像ごとに集計する。
【０００８】
そして、画像選択手段によってその合計ポイントが高い画像を優先的に選択し、画像表示手段がこの選択に従って画像を表示部に表示することになる。
これによって、従来画一的な表示しかできなかった画像ビューアの表示順序等が自動的にカスタマイズされて、その閲覧者の好みや人気等を反映した的確な画像表示を行うことができる。
【０００９】
〔発明２〕また、発明２の画像ビューアは、
発明１に記載の画像ビューアにおいて、前記画像選択手段は、前記ポイント集計手段で集計された合計ポイントの高い順に画像を選択する機能を有することを特徴とするものである。
これによって、合計ポイントが低い画像が選択されなくなるため、合計ポイント高い画像のみを表示して閲覧することができる。
【００１０】
〔発明３〕また、発明３の画像ビューアは、
発明１又は２に記載の画像ビューアにおいて、前記ポイント設定手段は、前記表示データに設定するポイントに重み付けを行う機能を有することを特徴とするものである。
これによって、閲覧者やユーザ等が重要視するデータに対して優先的に高いポイントが付与されることになるため、閲覧者やユーザ等の好み等をより的確に反映した画像表示を行うことができる。
【００１１】
〔発明４〕また、発明４の画像ビューアは、
発明１〜３のいずれかに記載の画像ビューアにおいて、前記表示データ取得手段は、他の画像ビューアの表示データをネットワークを介して取得する機能を有することを特徴とするものである。
これによって、他の画像ビューアの表示データを反映させた画像表示を自己の画像ビューアで再現することができる。
【００１２】
〔発明５〕また、発明５の画像ビューアは、
発明４に記載の画像ビューアにおいて、前記表示データ取得手段は、ネットワークを介して取得した他の画像ビューアの表示データに基づいて表示データを更新する機能を有することを特徴とするものである。
これによって、自己の画像ビューアで表示された画像のみならず、ネットワークで接続可能な他の画像ビューアで表示された画像を自己の画像ビューアで表示する場合でも、その閲覧者やユーザの好み等を的確に反映した画像表示を行うことができる。
【００１３】
〔発明６〕また、発明６の画像ビューアは、
発明１〜５のいずれかに記載の画像ビューアにおいて、前記表示データ取得手段で取得された表示データ及び前記ポイント集計手段で集計された合計ポイントに関するデータを、その画像の画像データ内にまとめて保存するデータ統合手段を有することを特徴とするものである。
これによって、表示データ及び合計ポイントに関するデータを保存するための専用の記憶手段が不要となると共に、画像単位でデータの受け渡しや管理を行った場合に容易にその画像データ用の表示データ及び合計ポイントに関するデータの受け渡しや管理を容易に行うことができる。
【００１４】
〔発明７〕また、発明７の画像ビューアは、
発明１〜５のいずれか１項に記載の画像ビューアにおいて、前記表示データ取得手段で取得された表示データ及び前記ポイント集計手段で集計された合計ポイントに関するデータを、その画像データと関連付けて保存するデータ関連付け手段を有することを特徴とするものである。
【００１５】
これによって、表示データ及び合計ポイントに関するデータを保存するための専用の記憶手段が不要となると共に、画像単位でデータの受け渡しや管理を行った場合に容易にその画像データ用の表示データ及び合計ポイントに関するデータの受け渡しや管理を容易に行うことができる。また、画像データから表示データを容易に切り離すことができるため、表示データのみの受け渡しや管理を容易に行うことができる。
【００１６】
〔発明８〕また、発明８の画像ビューアは、
発明１〜５のいずれかに記載の画像ビューアにおいて、前記画像表示手段は、前記画像選択手段で選択された画像を前記表示部にまとめて表示するに際し、前記ポイント集計手段で集計された合計ポイントに基づいて表示する画像の大きさを決定する機能を有することを特徴とするものである。
これによって、複数の画像を表示部にまとめて表示するに際し、合計ポイントが高い画像を大きく表示する等の画面の大きさ調整を的確に実行することができる。
【００１７】
〔発明９〕また、発明９の画像ビューアは、
発明１〜７のいずれか１項に記載の画像ビューアにおいて、前記画像表示手段は、前記画像選択手段で選択された画像を前記表示部にまとめて表示するに際し、前記ポイント集計手段で集計された合計ポイントが高い画像を優先的に大きく表示する機能を有することを特徴とするものである。
これによって、複数の画像を表示部にまとめて表示するに際し、合計ポイントが高い画像が大きく表示されるため、閲覧者の要求に見合った的確な画像表示を実行することができる。
【００１８】
〔発明１０〕また、発明１０の画像ビューアは、
発明１〜７のいずれかに記載の画像ビューアにおいて、前記画像表示手段は、前記画像選択手段で選択された画像を前記表示部に順に表示するに際し、前記ポイント集計手段で集計された合計ポイントが高い画像から順に表示する機能を有することを特徴とするものである。
これによって、合計ポイントが高い画像から優先的に表示されるようになることから、閲覧者の要求に見合った的確な表示を行うことができる。
【００１９】
〔発明１１〕また、発明１１の画像ビューアは、
発明１〜７のいずれか１項に記載の画像ビューアにおいて、前記画像表示手段は、前記画像選択手段で選択された画像を前記表示部に順に表示するに際し、前記ポイント集計手段で集計された合計ポイントに基づいてその表示時間を調節する機能を有することを特徴とするものである。
これによって、合計ポイントが高い画像の表示時間を長くし、合計ポイントが低い画像の表示時間を短く表示する等といったきめ細かい表示が可能となり、閲覧者の要求に見合った的確な表示を行うことができる。
【００２０】
〔発明１２〕また、発明１２の画像表示プログラムは、
画像データから画像を形成して表示する表示部を有する画像ビューアに用いられる画像表示プログラムであって、コンピュータを前記表示部に表示された画像の表示時の状況を示す表示データを取得する表示データ取得手段と、当該表示データ取得手段で取得された表示データにポイントを設定するポイント設定手段と、当該ポイント設定手段で設定されたポイントの合計を前記画像ごとに集計するポイント集計手段と、当該ポイント集計手段で集計された合計ポイントに基づいて表示する画像を選択する画像選択手段と、当該画像選択手段で選択された画像を前記表示部に表示する画像表示手段と、して機能させることを特徴とするものである。
【００２１】
これによって、発明１と同様に、従来画一的な表示しかできなかった画像ビューアの表示順序等が自動的にカスタマイズされて、その閲覧者の好みや人気等を反映した的確な画像表示を行うことができる。
また、殆どの画像ビューアに備え付けのコンピュータシステム等を用いてソフトウェア上で各手段を実現できることから、別個新たなコンピュータシステムを構築したり、専用のハードウェアを用意して実現する場合に比べて容易、且つ経済的に実施することができる。さらに、プログラムの一部を変更するだけで各手段の機能の改変やバージョンアップ等を容易に行うことができる。
【００２２】
〔発明１３〕また、発明１３の画像表示プログラムは、
発明１２に記載の画像表示プログラムにおいて、前記画像選択手段は、前記ポイント集計手段で集計された合計ポイントの高い順に画像を選択する機能を有することを特徴とするものである。
これによって、発明２と同様に、合計ポイントが低い画像が選択されなくなるため、合計ポイント高い画像のみを表示して閲覧することができる。また、発明１２と同様に、ソフトウェア上で実現できることから、容易、且つ経済的に実施することができる。さらに、プログラムの一部を変更するだけで各手段の機能の改変やバージョンアップ等を容易に行うことができる。
【００２３】
〔発明１４〕また、発明１４の画像表示プログラムは、
発明１２又は１３に記載の画像表示プログラムにおいて、前記ポイント設定手段は、前記表示データに設定するポイントに重み付けを行う機能を有することを特徴とするものである。
これによって、閲覧者やユーザ等が重要視するデータに対して優先的に高いポイントが付与されることになるため、閲覧者やユーザ等の好み等をより的確に反映した画像表示を行うことができる。また、発明１２と同様に、ソフトウェア上で実現できることから、容易、且つ経済的に実施することができる。さらに、プログラムの一部を変更するだけで各手段の機能の改変やバージョンアップ等を容易に行うことができる。
【００２４】
〔発明１５〕また、発明１５の画像表示プログラムは、
発明１２〜１４のいずれかに記載の画像表示プログラムにおいて、前記表示データ取得手段は、他の画像ビューアの表示データをネットワークを介して取得する機能を有することを特徴とするものである。
これによって、発明４と同様に、他の画像ビューアの表示データを反映させた画像表示を自己の画像ビューアで再現することができる。また、発明１２と同様に、ソフトウェア上で実現できることから、容易、且つ経済的に実施することができる。さらに、プログラムの一部を変更するだけで各手段の機能の改変やバージョンアップ等を容易に行うことができる。
【００２５】
〔発明１６〕また、発明１６の画像表示プログラムは、
発明１５に記載の画像表示プログラムにおいて、前記表示データ取得手段は、ネットワークを介して取得した他の画像ビューアの表示データに基づいて表示データを更新する機能を有することを特徴とするものである。
これによって、発明５と同様に、自己の画像ビューアで表示された画像のみならず、ネットワークで接続可能な他の画像ビューアで表示された画像を自己の画像ビューアで表示する場合でも、その閲覧者やユーザの好み等を的確に反映した画像表示を行うことができる。また、発明１２と同様に、ソフトウェア上で実現できることから、容易、且つ経済的に実施することができる。さらに、プログラムの一部を変更するだけで各手段の機能の改変やバージョンアップ等を容易に行うことができる。
【００２６】
〔発明１７〕また、発明１７の画像表示プログラムは、
発明１２〜１６のいずれかに記載の画像表示プログラムにおいて、前記表示データ取得手段で取得された表示データ及び前記ポイント集計手段で集計された合計ポイントに関するデータを、その画像の画像データ内にまとめて保存するデータ統合手段を有することを特徴とするものである。
【００２７】
これによって、発明６と同様に、表示データ及び合計ポイントに関するデータを保存するための専用の記憶手段が不要となると共に、画像単位でデータの受け渡しや管理を行った場合に容易にその画像データ用の表示データ及び合計ポイントに関するデータの受け渡しや管理を容易に行うことができる。また、発明１２と同様に、ソフトウェア上で実現できることから、容易、且つ経済的に実施することができる。さらに、プログラムの一部を変更するだけで各手段の機能の改変やバージョンアップ等を容易に行うことができる。
【００２８】
〔発明１８〕また、発明１８の画像表示プログラムは、
発明１２〜１６のいずれか１項に記載の画像表示プログラムにおいて、前記表示データ取得手段で取得された表示データ及び前記ポイント集計手段で集計された合計ポイントに関するデータを、その画像データと関連付けて保存するデータ関連付け手段を有することを特徴とするものである。
【００２９】
これによって、発明７と同様に、表示データ及び合計ポイントに関するデータを保存するための専用の記憶手段が不要となると共に、画像単位でデータの受け渡しや管理を行った場合に容易にその画像データ用の表示データ及び合計ポイントに関するデータの受け渡しや管理を容易に行うことができる。また、画像データから表示データを容易に切り離すことができるため、表示データのみの受け渡しや管理を容易に行うことができる。また、発明１２と同様に、ソフトウェア上で実現できることから、容易、且つ経済的に実施することができる。さらに、プログラムの一部を変更するだけで各手段の機能の改変やバージョンアップ等を容易に行うことができる。
【００３０】
〔発明１９〕また、発明１９の画像表示プログラムは、
発明１２〜１６のいずれかに記載の画像表示プログラムにおいて、前記画像表示手段は、前記画像選択手段で選択された画像を前記表示部にまとめて表示するに際し、前記ポイント集計手段で集計された合計ポイントに基づいて表示する画像の大きさを決定する機能を有することを特徴とするものである。
【００３１】
これによって、発明８と同様に、複数の画像を表示部にまとめて表示するに際し、合計ポイントが高い画像を大きく表示する等の画面の大きさ調整を的確に実行することができる。また、発明１２と同様に、ソフトウェア上で実現できることから、容易、且つ経済的に実施することができる。さらに、プログラムの一部を変更するだけで各手段の機能の改変やバージョンアップ等を容易に行うことができる。
【００３２】
〔発明２０〕また、発明２０の表示プログラムは、
発明１２〜１８のいずれかに記載の画像表示プログラムにおいて、前記画像表示手段は、前記画像選択手段で選択された画像を前記表示部にまとめて表示するに際し、前記ポイント集計手段で集計された合計ポイントが高い画像を優先的に大きく表示する機能を有することを特徴とするものである。
【００３３】
これによって、発明９と同様に、複数の画像を表示部にまとめて表示するに際し、合計ポイントが高い画像が大きく表示されるため、閲覧者の要求に見合った的確な画像表示を実行することができる。また、発明１２と同様に、ソフトウェア上で実現できることから、容易、且つ経済的に実施することができる。さらに、プログラムの一部を変更するだけで各手段の機能の改変やバージョンアップ等を容易に行うことができる。
【００３４】
〔発明２１〕また、発明２１の画像表示プログラムは、
発明１２〜１８のいずれかに記載の画像表示プログラムにおいて、前記画像表示手段は、前記画像選択手段で選択された画像を前記表示部に順に表示するに際し、前記ポイント集計手段で集計された合計ポイントが高い画像から順に表示する機能を有することを特徴とするものである。
【００３５】
これによって、合計ポイントが高い画像から優先的に表示されるようになることから、閲覧者の要求に見合った的確な表示を行うことができる。また、発明１２と同様に、ソフトウェア上で実現できることから、容易、且つ経済的に実施することができる。さらに、プログラムの一部を変更するだけで各手段の機能の改変やバージョンアップ等を容易に行うことができる。
【００３６】
〔発明２２〕また、発明２２の画像表示プログラムは、
発明１２〜１８のいずれかに記載の画像表示プログラムにおいて、前記画像表示手段は、前記画像選択手段で選択された画像を前記表示部に順に表示するに際し、前記ポイント集計手段で集計された合計ポイントに基づいてその表示時間を調節する機能を有することを特徴とするものである。
【００３７】
これによって、合計ポイントが高い画像の表示時間を長くし、合計ポイントが低い画像の表示時間を短く表示する等といったきめ細かい表示が可能となり、閲覧者の要求に見合った的確な表示を行うことができる。また、発明１２と同様に、ソフトウェア上で実現できることから、容易、且つ経済的に実施することができる。さらに、プログラムの一部を変更するだけで各手段の機能の改変やバージョンアップ等を容易に行うことができる。
【００３８】
〔発明２３〕また、発明２３の画像表示方法は、
画像データから画像を形成して画像ビューアの表示部に表示するようにした画像表示方法であって、前記表示部に表示された画像の表示時の状況を示す表示データを取得する表示データ取得ステップと、当該表示データ取得ステップで取得された表示データにポイントを設定するポイント設定ステップと、当該ポイント集計ステップで設定されたポイントの合計を前記画像ごとに集計するポイント集計ステップと、当該画像集計ステップで集計された合計ポイントに基づいて表示する画像を選択する画像選択ステップと、当該画像選択ステップで選択された画像を前記表示部に表示する画像表示ステップと、を有することを特徴とするものである。
【００３９】
これによって、発明１と同様に、従来画一的な表示しかできなかった画像ビューアの表示順序等が自動的にカスタマイズされて、その表示者の好みや人気等を反映した的確な画像表示を行うことができる。
【００４０】
〔発明２４〕また、発明２４の画像表示方法は、
発明２３に記載の画像表示方法において、前記画像選択ステップは、前記ポイント集計ステップで集計された合計ポイントの高い順に画像を選択するようにしたことを特徴とするものである。
これによって、発明２と同様に、合計ポイントが低い画像が選択されなくなるため、合計ポイント高い画像のみを表示して閲覧することができる。
【００４１】
〔発明２５〕また、発明２５の画像表示方法は、
発明２３又は２４に記載の画像表示方法において、前記ポイント設定ステップは、前記表示データに設定するポイントに所定の重み付けを行うようにしたことを特徴とするものである。
これによって、発明３と同様に、閲覧者やユーザ等が重要視するデータに対して優先的に高いポイントが付与されることになるため、閲覧者やユーザ等の好み等をより的確に反映した画像表示を行うことができる。
【００４２】
〔発明２６〕また、発明２６の画像表示方法は、
発明２３〜２５のいずれかに記載の画像表示方法において、前記表示データ取得ステップは、他の画像ビューアの表示データをネットワークを介して取得するようにしたことを特徴とするものである。
これによって、発明４と同様に、他の画像ビューアの表示データを反映させた画像表示を自己の画像ビューアで再現することができる。
【００４３】
〔発明２７〕また、発明２７の画像表示方法は、
発明２６に記載の画像表示方法において、前記表示データ取得ステップは、ネットワークを介して取得した他の画像ビューアの表示データに基づいて表示データを更新することを特徴とするものである。
これによって、発明５と同様に、自己の画像ビューアで表示された画像のみならず、ネットワークで接続可能な他の画像ビューアで表示された画像を自己の画像ビューアで表示する場合でも、その閲覧者やユーザの好み等を的確に反映した画像表示を行うことができる。
【００４４】
〔発明２８〕また、発明２８の画像表示方法は、
発明２３〜２７のいずれかに記載の画像表示方法において、前記表示データ取得ステップで取得された表示データ及び前記ポイント集計ステップで集計された合計ポイントに関するデータを、その画像の画像データ内にまとめて保存するデータ統合ステップを有することを特徴とするものである。
これによって、発明６と同様に、表示データ及び合計ポイントに関するデータを保存するための専用の記憶手段が不要となると共に、画像単位でデータの受け渡しや管理を行った場合に容易にその画像データ用の表示データ及び合計ポイントに関するデータの受け渡しや管理を容易に行うことができる。
【００４５】
〔発明２９〕また、発明２９の画像表示方法は、
発明２３〜２７のいずれか記載の画像表示方法において、前記表示データ取得ステップで取得された表示データ及び前記ポイント集計ステップで集計された合計ポイントに関するデータを、その画像データと関連付けて保存するデータ関連付けステップを有することを特徴とするものである。
これによって、発明７と同様に、表示データ及び合計ポイントに関するデータを保存するための専用の記憶手段が不要となると共に、画像単位でデータの受け渡しや管理を行った場合に容易にその画像データ用の表示データ及び合計ポイントに関するデータの受け渡しや管理を容易に行うことができる。また、画像データから表示データを容易に切り離すことができるため、表示データのみの受け渡しや管理を容易に行うことができる。
【００４６】
〔発明３０〕また、発明３０の画像表示方法は、
発明２３〜２７のいずれかに記載の画像表示方法において、前記画像表示ステップは、前記画像選択ステップで選択された画像を前記表示部にまとめて表示するに際し、前記ポイント集計ステップで集計された合計ポイントに基づいて表示する画像の大きさを決定する機能を有することを特徴とするものである。
これによって、発明８と同様に、複数の画像を表示部にまとめて表示するに際し、合計ポイントが高い画像を大きく表示する等の画面の大きさ調整を的確に実行することができる。
【００４７】
〔発明３１〕また、発明３１の画像表示方法は、
発明２３〜２９のいずれかに記載の画像表示方法において、前記画像表示ステップは、前記画像選択ステップで選択された画像を前記表示部にまとめて表示するに際し、前記ポイント集計ステップで集計された合計ポイントが高い画像を優先的に大きく表示する機能を有することを特徴とするものである。
これによって、発明９と同様に、複数の画像を表示部にまとめて表示するに際し、合計ポイントが高い画像が大きく表示されるため、閲覧者の要求に見合った的確な画像表示を実行することができる。
【００４８】
〔発明３２〕また、発明３２の画像表示方法は、
発明２３〜２９のいずれかに記載の画像表示方法において、前記画像表示ステップは、前記画像選択ステップで選択された画像を前記表示部に順に表示するに際し、前記ポイント集計ステップで集計された合計ポイントが高い画像から順に表示する機能を有することを特徴とするものである。
これによって、合計ポイントが高い画像から優先的に表示されるようになることから、閲覧者の要求に見合った的確な表示を行うことができる。
【００４９】
〔発明３３〕また、発明３３の画像表示方法は、
発明２３〜２９のいずれかに記載の画像表示方法において、前記画像表示ステップは、前記画像選択ステップで選択された画像を前記表示部に順に表示するに際し、前記ポイント集計ステップで集計された合計ポイントに基づいてその表示時間を調節する機能を有することを特徴とするものである。
これによって、合計ポイントが高い画像の表示時間を長くし、合計ポイントが低い画像の表示時間を短く表示する等といったきめ細かい表示が可能となり、閲覧者の要求に見合った的確な表示を行うことができる。
【００５０】
〔発明３４〕発明３４の画像ビューアは、
複数の画像データを取り込み、取り込んだ画像データから画像を形成して表示するようにした画像ビューアにおいて、実際に閲覧された画像及びその閲覧時の各種状況を示す閲覧データを取得する閲覧データ取得手段と、この閲覧データ取得手段で取得された閲覧データごとにポイントを設定すると共に、設定されたポイントの合計を閲覧画像ごとに集計するポイント集計手段と、このポイント集計手段で集計された合計ポイントが高い画像を優先的に選択して表示する画像選択手段と、をさらに備えたことを特徴とするものである。
【００５１】
すなわち、閲覧データ取得手段によって、実際に閲覧された画像及びその表示時の各種状況を示す閲覧データ、例えばその閲覧時間、回数、場所等のそのときの状況を示す各種データを取得した後、ポイント集計手段によって、この閲覧データごとにポイントを設定すると共に、設定されたポイントの合計を閲覧画像ごとに集計する。
そして、画像選択手段によってその合計ポイントが高い画像を優先的に選択して表示することになる。
これによって、従来画一的な表示しかできなかった画像ビューアの表示順序等が自動的にカスタマイズされて、その閲覧者の好みや人気等を反映した的確な画像表示を行うことができる。
【００５２】
〔発明３５〕また、発明３５の画像ビューアは、
前記発明３４に記載の画像ビューアにおいて、前記ポイント集計手段は、さらにその閲覧データごとに設定するポイントに任意の重み付けを行う機能を有することを特徴とするものである。 
これによって、閲覧者やユーザ等が重要視するデータに対して優先的に高いポイントが付与されることになるため、閲覧者やユーザ等の好み等を的確に反映した画像表示を行うことができる。
【００５３】
〔発明３６〕また、発明３６の画像ビューアは、
前記発明３４又は３５に記載の画像ビューアにおいて、前記閲覧データ取得手段は、さらに他の画像ビューアの閲覧データをネットワークを介して取得する機能を有することを特徴とするものである。
これによって、自己の画像ビューアで閲覧された画像のみならず、ネットワークで接続可能な他の画像ビューアで閲覧された画像を自己の画像ビューアで閲覧する場合でも、その閲覧者やユーザの好み等を的確に反映した画像表示を行うことができる。
【００５４】
〔発明３７〕また、発明３７の画像ビューアは、
前記発明３４〜３６のいずれかに記載の画像ビューアにおいて、前記閲覧データ取得手段で取得された閲覧データ及び前記ポイント集計手段で集計された合計ポイントに関するデータを、その画像の画像データ内にまとめて、あるいはその画像データと関連付けて保存するデータ統合手段をさらに備えたことを特徴とするものである。
これによって、閲覧データ及び合計ポイントに関するデータを保存するための専用の記憶手段が不要となると共に、画像単位でデータの受け渡しや管理を行った場合に容易にその画像データ用の閲覧データ及び合計ポイントに関するデータの受け渡しや管理を容易に行うことができる。
【００５５】
〔発明３８〕また、発明３８の画像ビューアの画像閲覧プログラムは、
複数の画像データを取り込み、取り込んだ画像データから画像を形成して表示するようにした画像ビューアのコンピュータを、実際に閲覧された画像及びその閲覧時の各種状況を示す閲覧データを取得する閲覧データ取得手段と、この閲覧データ取得手段で取得された閲覧データごとにポイントを設定すると共に、設定されたポイントを閲覧画像ごとに集計するポイント集計手段と、このポイント集計手段で集計された合計ポイントが高い画像を優先的に選択して表示する画像選択手段と、して機能させることを特徴とするものである。
これによって、発明３４と同様な効果が得られると共に、その画像ビューアに備え付けのコンピュータシステムを用いてソフトウェア上で各手段を実現することができることから、別個新たなコンピュータシステムを構築したり、専用のハードウェアを用意して実現する場合に比べて容易、且つ経済的に実施することができる。
【００５６】
〔発明３９〕また、発明３９の画像ビューアの画像閲覧プログラムは、
発明３８に記載の画像ビューアの画像閲覧プログラムにおいて、前記ポイント集計手段に、さらにその閲覧データごとに設定するポイントに任意の重み付けを行う機能を発揮させることを特徴とするものである。
これによって、発明３５と同様に、閲覧者やユーザ等の好み等を的確に反映した画像表示を行うことができると同時に、発明３８と同様に、その画像ビューアに備え付けのコンピュータシステムを用いて実現することができることから、容易且つ経済的に実現することができる。
【００５７】
〔発明４０〕また、発明４０の画像ビューアの画像閲覧プログラムは、
発明３８又は３９に記載の画像ビューアの画像閲覧プログラムにおいて、前記閲覧データ取得手段に、さらに他の画像ビューアの閲覧データをネットワークを介して取得する機能を発揮させることを特徴とするものである。
【００５８】
これによって発明３６と同様に、他の画像ビューアで閲覧された画像を自己の画像ビューアで閲覧する場合でも、その閲覧者やユーザの好み等を的確に反映した画像表示を行うことができると共に、発明３８と同様に、その画像ビューアに備え付けのコンピュータシステムを用いて実現することができることから、容易且つ経済的に実現することができる。
【００５９】
〔発明４１〕また、発明４１の画像ビューアの画像閲覧プログラムは、
発明３８〜４０のいずれかに記載の画像ビューアの画像閲覧プログラムにおいて、前記コンピュータを、前記閲覧データ取得手段で取得された閲覧データ及び前記ポイント集計手段で集計された合計ポイントに関するデータをその画像の画像データ内にまとめて、あるいはその画像データと関連付けて保存するデータ統合手段としてさらに機能させることを特徴とするものである。
これによって、発明３７と同様に閲覧データ及び合計ポイントに関するデータを保存するための専用の記憶手段が不要となり、また、発明３８と同様に、その画像ビューアに備え付けのコンピュータシステムを用いて実現することができることから、容易且つ経済的に実現することができる。
【００６０】
〔発明４２〕発明４２の画像ビューアの画像閲覧方法は、
複数の画像データを取り込み、取り込んだ画像データから画像を形成して表示するようにした画像ビューアの画像閲覧方法において、実際に閲覧された画像及びその閲覧時の各種状況を示す閲覧データをその画像ごとに取得すると共に、その閲覧データごとにポイントを設定してその閲覧画像ごとに合計ポイントを集計し、集計された合計ポイントが高い画像を優先的に選択して表示するようにしたことを特徴とするものである。
これによって、発明３４と同様に、従来画一的な表示しかできなかった画像ビューアの表示順序等が自動的にカスタマイズされて、その閲覧者の好みや人気等を反映した的確な画像表示を行うことができる。
【００６１】
〔発明４３〕また、発明４３０の画像ビューアの画像閲覧方法は、
複数の画像データを取り込み、取り込んだ画像データから画像を形成して表示するようにした画像ビューアの画像閲覧方法において、実際に閲覧された画像及びその閲覧時の各種状況を示す閲覧データをその画像ごとに取得すると共に、その閲覧データごとにポイントを設定してその閲覧画像ごとに合計ポイントを集計し、集計された合計ポイントが高い画像から順に表示するようにしたことを特徴とするものである。
すなわち、本発明は前記発明４２でいう優先的表示方法の一つとして、集計された合計ポイントが高い画像から順に表示するようにしたものであり、これによって閲覧者は合計ポイントの高い画像から優先的に順番に閲覧することができる。
【００６２】
〔発明４４〕また、発明４４の画像ビューアの画像閲覧方法は、
複数の画像データを取り込み、取り込んだ画像データから画像を形成して表示するようにした画像ビューアの画像閲覧方法において、実際に閲覧された画像及びその閲覧時の各種状況を示す閲覧データをその画像ごとに取得すると共に、その閲覧データごとにポイントを設定してその閲覧画像ごとに合計ポイントを集計し、集計された合計ポイントが高い画像から順にいくつか選択すると共に、選択された画像を一つの表示部にまとめて表示するようにしたことを特徴とするものである。
すなわち、本発明は前記発明４２でいう優先的表示方法の一つとして、合計ポイントが高い画像から順にいくつか選択し、選択された画像を一つの表示部にまとめて表示するようにしたものであり、これによって合計ポイントが低い画像を見ることなく、合計ポイント高い画像のみを一覧表示して同時に閲覧することができる。
【００６３】
〔発明４５〕また、発明４５の画像ビューアの画像閲覧方法は、
発明４４に記載の画像ビューアの画像閲覧方法において、選択された画像を一つの表示部にまとめて表示するに際して、合計ポイントが高い画像を優先的に大きく表示することを特徴とするものである。
すなわち、本発明は前記発明４４でいう合計ポイント高い画像のみを一覧表示するに際してさらに合計ポイントが高い画像を優先的に大きく表示するようにしたものであり、これによってさらに選択された画像でも合計ポイント高い画像を優先的に閲覧することができる。
【００６４】
〔発明４６〕また、発明４６の画像ビューアの画像閲覧方法は、
発明４２〜４５のいずれかに記載の画像ビューアの画像閲覧方法において、前記取得した閲覧データごとにポイントを設定するに際し、さらにその閲覧データごとに任意の重み付けを行うようにしたことを特徴とするものである。
これによって、発明３５と同様に、閲覧者やユーザ等が重要視するデータに対して優先的に高いポイントが付与されることになるため、閲覧者やユーザ等の好み等を的確に反映した画像表示を行うことができる。
【００６５】
〔発明４７〕また、発明４７の画像ビューアの画像閲覧方法は、
発明４２〜４６のいずれかに記載の画像ビューアの画像閲覧方法において、前記閲覧データは、自己の画像ビューアのみならず、自己の画像ビューアとネットワークを介して接続された他の画像ビューアの閲覧データをも対象とすることを特徴とするものである。
これによって、発明３６と同様に、自己の画像ビューアで閲覧された画像のみならず、ネットワークで接続可能な他の画像ビューアで閲覧された画像を自己の画像ビューアで閲覧する場合でも、その閲覧者やユーザの好み等を的確に反映した画像表示を行うことができる。
【００６６】
〔発明４８〕また、発明４８の画像ビューアの画像閲覧方法は、
発明４２〜４７のいずれかに記載の画像ビューアの画像閲覧方法において、前記閲覧データ及び合計ポイントに関するデータをその画像の画像データ内にまとめて、あるいはその画像データと関連付けて保存するようにしたことを特徴とするものである。
これによって、発明３７と同様に、閲覧データ及び合計ポイントに関するデータを保存するための専用の記憶手段が不要となる。
【発明を実施するための最良の形態】
【００６７】
以下、本発明を実施するための最良の実施の形態を添付図面を参照しながら詳述する。
図１は、本発明に係る画像ビューアＶの実施の一形態を示す外観図、図２は同じくその画像ビューアＶの構成を示すブロック図である。
図示するように、この画像ビューアＶは、ほぼ矩形板状をした筐体１０に、画像データ取得手段１２と、表示データ取得手段１４と、ポイント設定手段１６と、ポイント集計手段１８と、画像選択手段２０と、データ統合手段２２と、データ関連付け手段２４と、画像表示手段２６と、通信手段２８と、データ記憶手段３０と、から主に構成されている。
【００６８】
画像データ取得手段１２は、この画像ビューアＶの表示部（液晶モニタ）Ｄに表示する画像を取得する機能を提供するものであり、具体的には、前述したようにデジタルカメラやデジタルビデオカメラ、スキャナ等で取り込まれたデジタル画像データを記録した記録媒体（メモリカード等）Ｃを挿入してその記録媒体Ｃ内のデジタル画像データ等を入力するためのメモリスロットＲの他、ネットワークＮを介して送信されてくる画像データを取り込むための通信手段２８も含まれる。
【００６９】
表示データ取得手段１４は、この画像ビューアＶの表示部（液晶モニタ）Ｄに実際に画像が表示されたときの閲覧者の人数や反応（音声）等の閲覧状況等に関する情報である表示データ（又は適宜、「閲覧データ」と称する）を取得する機能を提供するものであり、具体的には、その画像ビューアＶを操作する操作ボタンＳ、決定ボタンＥ、音声信号等を取得する音声マイクＭ、その表示位置を検知するＧＰＳ（グローバルポジショニングシステム）機構（図示せず）等が含まれる。また、図示していないが、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の直接画像を取り込むための撮像センサやこの撮像センサで取り込んだ画像を画像データとして処理する画像処理手段等も含まれる。
【００７０】
この画像ビューアＶの表示部（液晶モニタ）Ｄに実際に画像が閲覧されたときの状況（表示データ）としては、例えば、以下の表１に示すように、（１）実際に閲覧された各画像の「画像名」（Ａ.ｊｐｇ、Ｃ.ｊｐｇ…等）、（２）その画像の「閲覧回数」（１回、２回…等）、（３）その画像を見たのべ「表示人数」（２人、１０人等）、（４）その画像を見たのべ「閲覧時間」（５分、２０分等）、（５）その画像の所定の箇所を指し示した、のべ「クリック数」（１０回、８０回等）、（６）閲覧時に録音された「音声データ」の有無及びそのファイル名（Ｄ.ｗａｖ等）などの各閲覧データを詳細に取得するようになっている。
【００７１】
【表１】
2004318861.tif 000003
【００７２】
ポイント設定手段１６は、この表示データ取得手段６０で取得された各表示データごとにそれぞれ任意のポイントを設定する機能を、また、ポイント集計手段１８は、このポイント設定手段１６で設定された各ポイントの合計を表示画像ごとに集計する機能を提供するようになっている。
【００７３】
例えば、以下の表２に示すように、表示画像ごとに取得される表示データごとにそれぞれ所定のポイントを付与すると共に、その表示画像ごとの合計ポイントを集計して算出するようになっている。
表２の例では、「閲覧回数」、「閲覧人数」、「閲覧時間」、「クリック数」の各表示データに対してそれぞれ１ポイントずつ設定したものであり、その結果、「Ａ.ｊｐｇ」という画像は「１８ポイント」、「Ｂ.ｊｐｇ」という画像は「９ポイント」、「Ｃ.ｊｐｇ」という画像は「３９ポイント」、「Ｄ.ｊｐｇ」という画像は「３１ポイント」となり、「画像Ｃ」→「画像Ｄ」→「画像Ａ」→「画像Ｂ」の順にポイントを獲得したことになる。
【００７４】
【表２】
2004318861.tif 000004
【００７５】
また、このポイント設定手段１６は、以下の表３に示すようにデータごとに所定の重み付けをしてポイントを設定することも可能となっている。表３の例では、「閲覧時間」と「クリック数」のみにポイントを設定すると共に、「クリック数」のポイントを「閲覧時間」の２倍に設定したものである。従って、このように各ポイントに重み付けをした場合には、その各画像ごとの合計ポイントは、前記順序の１位と２位とが入れ替わって、「画像Ｄ」→「画像Ｃ」→「画像Ａ」→「画像Ｂ」の順となる。
【００７６】
【表３】
2004318861.tif 000005
【００７７】
画像選択手段２０は、このポイント集計手段１８で集計された合計ポイントが高い画像から優先的に選択して前記表示部Ｄに表示する機能を提供するものであり、上述した表２の例では、「画像Ｃ」→「画像Ｄ」→「画像Ａ」→「画像Ｂ」の順に表示部Ｄに表示され、また、表３の例では、「画像Ｃ」と「画像Ｄ」の順番が入れ替わって「画像Ｄ」→「画像Ｃ」→「画像Ａ」→「画像Ｂ」の順に前記表示部Ｄに表示されるようになっている。
【００７８】
データ統合手段２２は、表示データ取得手段１４で取得された表示データ及び前記ポイント集計手段１８で集計された合計ポイントに関するデータを、その画像の画像データ内にまとめて保存する機能を、また、データ関連付け手段２４は、前記表示データ取得手段１４で取得された表示データ及び前記ポイント集計手段１８で集計された合計ポイントに関するデータをその画像データと関連付けて保存する機能を提供するようになっている。
【００７９】
従って、ある画像データを選択すると、このデータ統合手段２２及びデータ関連付け手段２４とによって、その画像データに対する表示データ及び合計ポイントに関するデータが同時に得られるようになっている。
例えば、図３に示すように、データ統合手段２２によれば、「Ａ.ｊｐｇ」という画像ファイル（画像データ）がある場合にそのファイル内に拡張領域を作成し、その拡張領域内に前記表示データ及び合計ポイントに関するデータを格納してまとめて保存するようになる。また、図４に示すように、データ関連付け手段２４によれば、「Ａ.ｊｐｇ」という画像ファイルと関連付けられたデータ保存用のファイルを作成し、そのファイル内に前記表示データ及び合計ポイントに関するデータ等を格納するようになっている。
【００８０】
これによって、「Ａ.ｊｐｇ」という画像データのみを第三者に渡したり、その「Ａ.ｊｐｇ」という画像データのみを残した場合でもそれに伴ってその表示データ及び合計ポイントに関するデータでの授受や保存・消去が容易に行われるようになっている。
画像表示手段２６は、記録媒体Ｃに記録された画像データから得られる画素情報から実際の画像を形成して表示部Ｄに表示したり、画像データと共に記録された音声データを音声として出力する機能を提供するものであり、具体的には、画像処理用の回路（画像処理用のプログラム）や、図１に示すように、筐体１０の表面に大きく設置された液晶（ＬＣＤ）等のモニタ（ディスプレイ）Ｄの他、音声出力用のスピーカＰも含まれる。
【００８１】
通信手段２８は、ネットワークＮを介して他の画像ビューアＶと相互に情報通信可能に接続する機能を提供するものであり、自己の画像ビューアＶに保存されたデータと他の画像ビューアＶに保存されたデータとをネットワークＮを介して相互に情報交換を可能とするものである。なお、ここでいうネットワークＮとは、インターネットやＬＡＮ等の広義のネットワークの他に、ケーブルや赤外線無線等によって１対１で行われる通信手段も含まれるものとする。
【００８２】
データ記憶手段３０は、前記記録媒体Ｃ内のデジタル画像データの他に、前記データ統合手段２２によって画像データとまとめて、あるいはデータ関連付け手段２４によって画像データと関連付けられたその画像データに対する表示データ及び合計ポイントに関するデータを記録する機能を提供するものであり、例えば、大容量記録が可能なハードディスクドライブ装置（ＨＤＤ）や、半導体メモリ、あるいはＣＤ−ＲやＤＶＤ−Ｒ、ＤＶＤ−ＲＷ等の読み書き可能な記録媒体等から構成されている。
【００８３】
なお、この画像ビューアＶを構成する画像データ取得手段１２、表示データ取得手段１４、ポイント設定手段１６、ポイント集計手段１８、画像選択手段２０、データ統合手段２２、データ関連付け手段２４、画像表示手段２６、通信手段２８、データ記憶手段３０は、それぞれ図５に示すハードウェア構成と、図６等に示すアルゴリズムを実現する各種制御用プログラム（ソフトウェア）とからなるコンピュータシステムによって具体的に実現されるようになっている。
【００８４】
すなわち、この画像ビューアＶの各機能を実現するためのハードウェア構成は、図５に示すように、各種制御や演算処理を担う中央演算処理装置であるＣＰＵ（Ｃｅｎｔｒａｌ  Ｐｒｏｃｅｓｓｉｎｇ  Ｕｎｉｔ）４０と、主記憶装置（Ｍａｉｎ  Ｓｔｏｒａｇｅ）に用いられるＲＡＭ（Ｒａｎｄｏｍ  Ａｃｃｅｓｓ  Ｍｅｍｏｒｙ）４１と、読み出し専用の記憶装置であるＲＯＭ（Ｒｅａｄ  Ｏｎｌｙ  Ｍｅｍｏｒｙ）４２と、ハードディスクドライブ装置（ＨＤＤ）や半導体メモリ等の補助記憶装置（Ｓｅｃｏｎｄａｒｙ  Ｓｔｏｒａｇｅ）４３、及びモニタ（ＬＣＤ（液晶ディスプレイＤ））等からなる出力装置４４、操作ボタンやマイク、撮像センサ等からなる入力装置４５と、無線ＬＡＮ、インターネット等の通信ネットワークＮ、及びこれらの入出力インターフェース（Ｉ／Ｆ）４６等との間を、ＰＣＩ（Ｐｅｒｉｐｈｅｒａｌ  Ｃｏｍｐｏｎｅｎｔ  Ｉｎｔｅｒｃｏｎｎｅｃｔ）バスやＩＳＡ（Ｉｎｄｕｓｔｒｉａｌ  Ｓｔａｎｄａｒｄ  Ａｒｃｈｉｔｅｃｔｕｒｅ）バス等からなるプロセッサバス、メモリバス、システムバス、入出力バス等の各種内外バス４７によってバス接続したものである。
【００８５】
そして、例えば、半導体ＲＯＭやＣＤ−ＲＯＭ、ＤＶＤ−ＲＯＭ等の記憶媒体、あるいは通信ネットワークＮを介して供給される各種制御用プログラムやデータを補助記憶装置４３等に保存しておくと共に電源投入時にそのプログラムやデータを主記憶装置４１にロードし、その主記憶装置４１にロードされたプログラムに従ってＣＰＵ４０が各種リソースを駆使して所定の制御及び演算処理を行い、その処理結果（処理データ）をバス４７を介して出力装置４４に出力して表示すると共に、そのデータをネットワークＮを介して他の画像ビューアに送信したり、必要に応じて補助記憶装置４３に適宜記憶、保存（更新）処理するようにしたものである。
【００８６】
次に、このような構成をした本発明の画像ビューアＶによるデータの処理の流れ及び作用・効果を説明する。
図６のフローチャートは、この画像ビューアＶによる画像の表示とその表示状況に関するデータの取得の流れを示したものである。
図の最初のステップＳ１００に示すように、先ず、デジタルカメラで撮影されたデジタル画像データの記憶媒体であるメモリカードから保存されている画像データを読み込んで取得すると、次のステップＳ１０２に移行して、この画像ビューアＶ（の画像表示手段２６）は、取得した画像データの全てをまとめて、あるいは一定時間ごとに数回に分けてその表示部（モニタ）Ｄ上にその画像のサムネイル画像を一覧表示し、閲覧者による画像の選択を促すことになる。
【００８７】
そして、次のステップＳ１０４に移行して、このようにして一覧表示されたサムネイル画像のいずれかの画像が選択されたか否かを監視し、所定時間経過してもいずれのサムネイル画像も選択されないと判断した場合（Ｎｏ）は、タイムアウトによってそのまま処理を終了することになるが、いずれかのサムネイル画像が選択されたと判断したとき（Ｙｅｓ）は、次のステップＳ１０５に移行して、そのサムネイル画像に相当する原画像を呼び出してきて表示部Ｄ上に拡大表示すると共に、次のステップＳ１０６に移行して、その選択された画像に対して表示データの一つである「表示回数」を１インクリメントすることになる。
【００８８】
また、この画像ビューアＶ（の表示データ取得手段１４）は、さらにその表示された画像の「表示時間」やその画像に対する閲覧者による「クリック」等の操作状況を監視し（ステップＳ１０８）、その画像を表示している間に「クリック」等の操作があったと判断したとき（Ｙｅｓ）は、次のステップＳ１１０に移行して、その「クリック」等の操作情報を繰り返し記録する。
【００８９】
一方、その表示された画像に対して「クリック」等の操作が所定時間なかったと判断したとき（Ｎｏ）は、次のステップＳ１１２に移行して画像表示の終了操作が行われたか否かを判断し、終了しない場合（Ｎｏ）は、再びステップＳ１０８に戻って「クリック」等の操作状況を監視・記録することになるが、画像表示を終了したと判断したとき（Ｙｅｓ）は、再びステップＳ１０４まで戻って再度新たな画像の選択があったか否かの判断を行ってステップＳ１０５以降の処理を、その画像の選択がなくなったと判断されるまで繰り返すことになる。
【００９０】
これによって、前記表１に示したように、実際に表示された画像の種類やその画像の表示状況等に関する各種表示データが得られ、これが前述したようにデータ統合手段２２によって各画像データとまとめて、あるいはデータ関連付け手段２４によって各画像データと関連付けられて保存されることになる。
また、図７は、表示時間の収集に関するフロー、図８は、表示人数の収集に関するフロー、図９は、表示時の音声の収集に関するフローを示したものである。
【００９１】
先ず、図７の表示時間の収集に関する処理の流れとしては、最初のステップＳ１００からステップＳ１０５までは、前述した図６の処理の流れと同じであるが、ステップＳ１０５において選択したサムネイル画像を拡大表示すると、次のステップＳ１１４に移行して、選択した画像に対する表示時間の計測を開始する。そして、その直後に次のステップＳ１１６に移行してその表示された画像の表示を終了したか否かを判断し、終了していないとき（Ｎｏ）は、そのまま引き続き計測を継続することになるが、終了したと判断したとき（Ｙｅｓ）は、次のステップＳ１１８に移行して選択した画像に対する表示時間の計測を終了し、次のステップＳ１２０に移行して、計測した表示時間をその選択画像と関連付けて保存する。
【００９２】
そして、このようにして計測した表示時間をその選択画像と関連付けて保存したならば、ステップＳ１０４に戻り、サムネイル一覧表示された画像中から画像が選択されなくなるまで同様の処理を繰り返すことで、表示部Ｄに表示（閲覧）された画像ごとの表示時間を取得してその表示時間とその選択画像とを関連付けて保存することができる。
次に、図８の表示人数の収集に関する処理の流れとしては、図７の処理の流れと同様に、最初のステップＳ１００からステップＳ１０５までは、前述した図６の処理の流れと同じであるが、ステップＳ１０５において選択したサムネイル画像を拡大表示すると、次のステップＳ１２２に移行して、表示人数の入力操作を監視して表示人数の入力があったか否かを判断する。ここで、表示人数の入力がなかったと判断したとき（Ｎｏ）は、そのままステップＳ１２６までジャンプすることになるが、表示人数の入力があったと判断したとき（Ｙｅｓ）は、次のステップＳ１２４に移行してその表示人数を選択された画像（表示画像）と関連付けて保存する。
【００９３】
その後、次のステップＳ１２６に移行して画像表示を終了したか否かを判断し、まだ画像表示を終了していないと判断したとき（Ｎｏ）は、ステップＳ１２２まで戻って同様の入力操作の監視を続行することになるが、画像表示を終了したと判断したとき（Ｙｅｓ）は、ステップＳ１０４まで戻り、サムネイル一覧表示された画像中から画像が選択されなくなるまで同様の処理を繰り返すことで、表示部Ｄに表示（閲覧）された画像ごとの表示人数を取得してその情報をその選択画像とを関連付けて保存することができる。
【００９４】
また、図９の表示時の音声の収集に関する処理の流れとしては、図７及び図８の処理の流れと同様に、最初のステップＳ１００からステップＳ１０５までは、前述した図６の処理の流れと同じであるが、ステップＳ１０５において選択したサムネイル画像を拡大表示すると、次のステップＳ１２８に移行して、選択した画像に対する表示時の録音を開始してから次のステップＳ１３０に移行する。
【００９５】
ステップＳ１３０では、録音中の画像の表示が終了したか否かを監視し、終了していないと判断したとき（Ｎｏ）は、引き続き録音を続行することになるが、表示が終了したと判断したとき（Ｙｅｓ）は、次のステップＳ１３２に移行して選択した画像に対する表示時の録音を終了してから、次のステップＳ１３４に移行する。
ステップＳ１３４では、録音した音声データを選択画像と関連付けて保存してから、ステップＳ１０４まで戻り、サムネイル一覧表示された画像中から画像が選択されなくなるまで同様の処理を繰り返すことで、表示部Ｄに表示（閲覧）された画像ごとの録音データを取得してその情報をその選択画像とを関連付けて保存することができる。
【００９６】
次に、図１０はこのようにして得られた各画像ごとの表示データに基づいて画像を表示するまでの流れを示したものである。
この画像表示フローは、先ず、最初のステップＳ２００において、画像ビューアＶの各種モードを表示データモード（表示情報モード）にしてから、この画像ビューアＶのポイント設定手段１６によって前記表２に示すように、各表示データごとに任意のポイントを付与（入力）すると、次のステップＳ２０２に移行して、そのポイント集計手段１８が、その表示データに基づいて実際に表示された画像ごとにポイントを計算する。
【００９７】
そして、次のステップＳ２０４に移行し、表示データ表示設定、すなわち各表示データごとの設定ポイントや画像ごとの集計ポイントの結果等を示す画面を表示する設定が有効になっているか否かを判断し、有効になっていない、すなわち、表示データを表示する必要がないと判断したとき（Ｎｏ）は、そのままステップＳ２０８までジャンプすることになるが、反対に、有効になっている、すなわち、表示データを表示する必要があると判断したとき（Ｙｅｓ）は、ステップＳ２０６を経てその表示データ表示領域に現在表示されている画像の表示データを表示してから、ステップＳ２０８に移行する。
【００９８】
ステップＳ２０８では、集計された合計ポイントに従って、合計ポイントの高い画像から優先的に表示することになるが、その表示方法としては、図１１に示すようなスライドショー形式の他、図１２に示すような一覧表示形式がある。
すなわち、図１１に示すスライドショー形式は、モニタＤ全面に一枚の画像を一定時間ごとに順番に表示するものであり、図１１の例では、獲得ポイントが「画像１」＞「画像２」＞「画像３」＞「画像４」の場合は、「画像１」→「画像２」→「画像３」→「画像４」の順に表示されることになる。
【００９９】
また、図１２に示す一覧表示形式は、表示部Ｄ上に、複数の画像をまとめて表示すると共に、その画像の表示の大きさを獲得ポイントに応じて変化させたものである。
図１２の例では、獲得ポイントが「画像１」＞「画像２」＞「画像３」＞「画像４」であって、獲得ポイントが最も高い「画像１」が最も大きく表示され、獲得ポイントが最も少ない「画像４」が最も小さく表示された状態を示したものである。
【０１００】
このように本発明は、実際に表示された画像の種類及びその表示時の各種状況等を示す表示データをその画像ごとに取得すると共に、その表示データごとにポイントを設定して合計ポイントを集計し、集計された合計ポイントが高い画像を優先的に選択して表示するようにしたものであり、これによって、従来の画像ビューアでは、画一的な表示しかできなかった表示等が自動的にカスタマイズされて、その表示者の好みや人気等を反映したオリジナリティ豊かな画像表示を行うことができる。
【０１０１】
なお、本実施の形態では、表示中に取得する表示データの例として、「画像名」、「表示回数」、「表示人数」、「表示時間」、「クリック数」、「音声データ」を挙げたが、その他、例えば、ＧＰＳ機能等によって得られる「表示場所」、「表示メンバ」、「閲覧者の視点の凝視時間」、「ポインタの移動量」、「メールに添付した回数」、「手紙に送った回数」、「Ｗｅｂページに掲載した回数」等も表示データの一部として取得・採用しても良い。
【０１０２】
次に、図１３及び図１４は、本発明の他の実施の形態を示したものであり、複数の画像ビューア（本実施の形態にあっては画像ビューアＡと、画像ビューアＢ）相互で、前記表示データを備えた画像データの交換処理の流れの一例を示したものである。
先ず、図１３の最初のステップＳ３００に示すように、画像ビューアＡが画像ビューアＢに対して、自己が所有する画像データをその表示データと共に送信すると、その画像ビューアＢは、図１４に示すように、最初のステップＳ４００において、画像ビューアＡからそのデータを受信したかどうかを監視し、受信したと判断したとき（Ｙｅｓ）は、次のステップＳ４０２に移行して受信した画像データに基づいて自己の表示部Ｄ上に画像をサムネイル一覧表示して、画像ビューアＢの表示者による画像の選択を促す。
【０１０３】
そして、画像ビューアＢは、次のステップＳ４０４に移行して、そのサムネイル一覧表示からいずれかのサムネイル画像が選択されたか否かを監視し、選択が行われたと判断したとき（Ｙｅｓ）は、ステップＳ４１０側に移行して、その選択した画像に対して選択回数を１インクリメントしてから次のステップＳ４１２に移行し、このステップＳ４１２においてさらに、その画像に対してクリック等の操作が行われたか否かを監視する。
【０１０４】
その結果、クリック等の操作が行われたと判断したときは、ステップＳ４１４側に移行して選択した画像に対してその操作情報をその画像の表示データに対してアップデート（更新）し、クリック等の操作が行われなくなるまでその処理を繰り返す。
そして、ステップＳ４１２において、クリック等の操作が行われないと判断したとき（Ｎｏ）は、ステップＳ４１６側に移行してその画像表示が終了したか否かが監視され、終了しないと判断されたとき（Ｎｏ）は、ステップＳ４１２に戻ってその画像表示が終了するまでその画像に対しての操作状況が監視され、反対に終了したと判断したとき（Ｙｅｓ）は、再びステップＳ４０４までに戻って再度選択された全ての画像に対して同様な処理が繰り返される。  
【０１０５】
一方、このステップＳ４０４にて、サムネイル一覧表示された画像の選択がないと判断したとき（Ｎｏ）は、ステップＳ４０６に移行して、反対に画像ビューアＡからその画像ビューアＢが更新した表示データの送信要求を受信したか否かを監視し、表示データの送信要求を受信したと判断したとき（Ｙｅｓ）は、次のステップＳ４０８に移行して、更新した表示データを画像ビューアＡに対して送信して処理を終了する。
【０１０６】
なお、このステップＳ４０８において、更新した表示データを画像ビューアＡに送信するに際して、その元となる画像データは画像ビューアＡ側にも保存されているはずであるから、特にその旨の通知がない限り、画像ビューアＡに送信するのは更新された表示データのみとなり、これによって、無駄なデータの送受信が防止される。
また、ステップＳ４０４にて、一度も画像の選択がなかった場合は、いずれの画像の表示データも更新されていないため、更新された表示データの代わりにその旨を画像ビューアＡに対して送信することになる。
【０１０７】
一方、このようにして画像ビューアＢに対して自己が所有する画像データをその表示データと共に送信した画像ビューアＡは、その後、一定時間経過後に、図１３のステップＳ３０２に示すように、更新後の表示データの送信要求を画像ビューアＢに対して送信する。
そして、次のステップＳ３０４に移行してその画像ビューアＢから要求した表示データを受信したか否かを監視し、画像ビューアＢから表示データを受信していないと判断したとき（Ｎｏ）そのまま受信の監視を継続することになるが、画像ビューアＢから表示データを受信したと判断したとき（Ｙｅｓ）は、自己の有する表示データを、受信した新しい表示データに更新して処理を終了することになる。
【０１０８】
これによって、画像データやその画像に関する表示データを複数の画像ビューアで相互に共有することができるため、画像ビューアＡで取得された表示データのみならず、画像ビューアＢで取得された表示データに基づいて画像ビューアＡでその閲覧者やユーザの好み等を的確に反映した画像表示を行うことが可能となる。
なお、本実施の形態では、画像ビューアＡから受信した表示データを画像ビューアＢ側に送り、画像ビューアＢ側で更新した表示データを画像ビューアＡに戻して画像ビューアＡ側の表示データを更新するようにした例を説明したが、この表示データの流れは反対でも勿論、同様であり、また３台以上の画像ビューアがネットワークＮ等で相互に情報通信可能に接続されている場合もその更新後の表示データを他の画像ビューアに対して順に、あるいはブロードキャスト等することによって全ての画像ビューアで共有することが可能となる。
【０１０９】
また、取得した表示データは、単純に既存の表示データに追加して利用する他、既存の表示データと入れ替えて利用する方法や、既存の表示データに自由に「重ね合わせて」利用するようにしても良い。これによって、取得した表示データのみならず、既存の表示データの内容も反映させた的確な画像表示を行うことができる。また、このように取得した表示データと既存の表示データとを「重ね合わせて」利用するに際して、それらの重み付けを変更することで、取得した表示データと既存の表示データとの表示度合いを自由に調整することができる。
【０１１０】
以下の表４は、実際にある画像ビューアによって表示された画像ごとに表示データの具体例を示したものであり、その画像が表示された「画像ビューアＩＤ（００１）」の他に、その画像の「画像名（Ａ．ｊｐｇ）」、「閲覧回数（１）」、「閲覧人数（１）」、「閲覧時間（１分）」、「クリック数（１０）」、「音声データ（なし）」等が記録されたものである。
【０１１１】
【表４】
2004318861.tif 000006
【０１１２】
そして、この表示データの保存方法としては、取得元の画像ビューアＩＤと共に別データとして保存したり、取得元の画像ビューアＩＤと共に画像データの内部に保存する方法が考えられる。
また、図１４のフローでは、閲覧回数とクリック等の処理のみを示しているが、前記図６、図７、図８、図９で示したような単体の画像ビューアで行っている処理も行うことは勿論である。
【０１１３】
また、画像ビューアＶ間の通信には、所定のプロトコルを用いることになるが、このプロトコルについても特に限定するものでなく、インターネット等のネットワークＮを経由するものであれば、インターネットでスタンダードなＴＣＰ／ＩＰプロトコルが利用され、また、ある特定のベンダーで統一されたＬＡＮであれば、ＡｐｐｌｅＴａｌｋ／ＥｔｈｅｒＴａｌｋ（登録商標）やＮｅｔＢＥＵＩ／ＮｅｔＢＩＯＳ（登録商標）、ＳＰＸ／ＩＰＸ（登録商標）等の特定のプロトコルを利用することができる。例えば、ＴＣＰ／ＩＰであれば、機器管理サーバ２００と各モジュール内蔵機器３００間でコネクションを確立して信頼性のある通信を確保するためのＴＣＰ（Ｔｒａｎｓｍｉｓｓｉｏｎ  Ｃｏｎｔｒｏｌ  Ｐｒｏｔｏｃｏｌ）や効率的な通信を提供すべくコネクションレス型のプロトコルであるＵＤＰ（Ｕｓｅｒ  Ｄａｔａｇｒａｍ  Ｐｒｏｔｏｃｏｌ）、多数の経路のなかから所定の宛先にパケットを送り届けるためのプロトコルであるＩＰ（Ｉｎｔｅｒｎｅｔ  Ｐｒｏｔｏｃｏｌ）の他、ネットワークを介して他方の端末をリモートコントロールするためのプロトコルであるＴｅｌｎｅｔ（Ｔｅｌｅｃｏｍｍｕｎｉｃａｔｉｏｎ  Ｎｅｔｗｏｒｋ）、Ｔｅｌｎｅｔを利用してファイル転送を実行するプロトコルであるＦＴＰ（Ｆｉｌｅ  Ｔｒａｎｓｆｅｒ  Ｐｒｏｔｏｃｏｌ）、他のコンピュータに対する透過的なファイルアクセス機能を提供するためのプロトコルであるＮＦＳ（Ｎｅｔｗｏｒｋ  Ｆｉｌｅ  Ｓｙｓｔｅｍ）、故障情報やトラフィック情報などのネットワーク管理情報をやりとりするためのプロトコルであるＳＮＭＰ（Ｓｉｍｐｌｅ  Ｎｅｔｗｏｒｋ  Ｍａｎａｇｅｍｅｎｔ  Ｐｒｏｔｏｃｏｌ）、ＡＲＰａｎｄＲＡＲＰ（Ａｄｄｒｅｓｓ  Ｒｅｓｏｌｕｔｉｏｎ  Ｐｒｏｔｏｃｏｌ，Ｒｅｖｅｒｓｅ  ＡＲＰ）、ＳＬＩＰａｎｄＰＰＰ（Ｓｅｒｉａｌ  Ｌｉｎｅ  Ｐｒｏｔｏｃｏｌ，  Ｐｏｉｎｔ  ｔｏ  Ｐｏｉｎｔ  Ｐｒｏｔｏｃｏｌ）、ＲＩＰａｎｄＯＳＰＦ（Ｒｏｕｔｉｎｇ  Ｉｎｆｏｒｍａｔｉｏｎ  Ｐｒｏｔｏｃｏｌ，Ｏｐｅｎ  Ｓｈｏｒｔｅｓｔ  Ｐａｔｈ  Ｆｉｒｓｔ）、ＲＳＶＰ（Ｒｅｓｏｕｒｃｅ  Ｒｅｓｅｒｖａｔｉｏｎ  Ｐｒｏｔｏｃｏｌ）、ＩＰｓｅｃ（ＩＰ  ｓｅｃｕｒｉｔｙ  Ｐｒｏｔｏｃｏｌ）、ＩＧＭＰ（Ｉｎｔｅｒｎｅｔ  Ｇｒｏｕｐ  Ｍａｎａｇｅｍｅｎｔ  Ｐｒｏｔｏｃｏｌ）、ＮＴＰ（Ｎｅｔｗｏｒｋ  Ｔｉｍｅ  Ｐｒｏｔｏｃｏｌ）等が多用されるものと考えられる。
【０１１４】
また、図１５〜図１７は、ポイント設定手段１６によるポイントの重み付け設定に関する画面例及びその操作方法の一例を示したものである。
先ず、図１５（ａ）、（ｂ）に示すように、設定画面の「モード変更メニュー」には、主に画像の表示とその表示データの取得を目的とした「画面表示モード」と、ポイントに重み付けを付与することを目的とした「ポイント係数変更モード」との２つの選択可能なメニューが設定されている。
【０１１５】
そして、前述したような表示データの各ポイントにデフォルト状態とは異なる重み付けを付与する場合は、例えば、図１の操作ボタンＳ、Ｓで示される「左右ボタン」を押して「ポイント係数変更モード」を選択してから、「決定ボタンＥ」を押して「ポイント係数変更モード」を実行する。
すると、図１５（ｃ）に示すように、「ポイント係数変更モード」に関する５つのデータ「表示回数係数変更」、「表示人数係数変更」、「閲覧時間係数変更」、「クリック数係数変更」、「音声データ係数変更」の選択肢が表示される。ここでは、図１６（ｄ）に示すように「左右ボタン」を押して「閲覧時間係数変更」が選択されたものとする。
【０１１６】
そして、このようにして「閲覧時間係数変更」が選択されたならば、「決定ボタンＥ」を押して「閲覧時間係数変更」を実行すると、同図（ｅ）に示すように、閲覧時間係数を表す数値変更画面が表示されることから、その状態で同じく「左右ボタン」を押して所定の係数を選択する。同図（ｅ）、（ｆ）の例では、「閲覧時間係数変更」が「３．１」であったのを「１．０」と変更している。
【０１１７】
そして、このようにして「閲覧時間係数変更」を実行して閲覧時間に関するポイントを変更したならば、「決定ボタンＥ」を押してその数値を確定したならば、図１７（ｇ）に示すように再び「ポイント係数変更モード」に戻ることから、他に変更する係数がない場合は、同図（ｈ）に示すように、「左右ボタン」を押して「戻る」を選択してから「決定ボタンＥ」を押すことで、初期の選択画面に戻ることができる。
【０１１８】
なお、本実施の形態では、画像フォーマットとして「Ｊｐｇ」方式の例で示したが、「ＧＩＦ（Ｇｒａｐｈｉｃｓ  Ｉｎｔｅｒｃｈａｎｇｅ  Ｆｏｒｍａｔ）」や、「ＴＩＦＦ（Ｔａｇｇｅｄ  Ｉｍａｇｅ  Ｆｉｌｅ  Ｆｏｒｍａｔ）」、「ＢＭＰ（ビットマップ）」等の他の方式であっても良いことは勿論である。
【図面の簡単な説明】
【０１１９】
【図１】本発明に係る画像ビューアの実施の一形態を示す外観図である。
【図２】同じくその画像ビューアの構成を示すブロック図である。
【図３】画像データと閲覧データをまとめて保存した例を示す概念図である。
【図４】画像データと閲覧データを関連付けて保存した例を示す概念図である。
【図５】本発明に係る画像ビューアのハードウェア構成を示す図である。
【図６】画像の表示状況（クリック等）に関するデータの取得の流れを示したフローである。
【図７】画像の表示状況（表示時間）に関するデータの取得の流れを示したフローである。
【図８】画像の表示状況（閲覧人数）に関するデータの取得の流れを示したフローである。
【図９】画像の表示状況（音声データ）に関するデータの取得の流れを示したフローである。
【図１０】表示データを元に画像を優先表示する流れを示したフローである。
【図１１】選択された画像の表示方法の一例を示す概念図である。
【図１２】選択された画像の表示方法の一例を示す概念図である。
【図１３】閲覧データを提供する画像ビューアＡの流れを示すフローである。
【図１４】閲覧データ提供を受ける画像ビューアＢの流れを示すフローである。
【図１５】メニュー画面を利用してデータの重み付け変更を行う手順の序盤段階を示す図である（選択項目は白抜き文字）。
【図１６】メニュー画面を利用してデータの重み付け変更を行う手順の中盤段階を示す図である（選択項目は白抜き文字）。
【図１７】メニュー画面を利用してデータの重み付け変更を行う手順の終盤段階を示す図である（選択項目は白抜き文字）。
【符号の説明】
【０１２０】
１０…筐体、１２…画像データ取得手段、１４…表示データ取得手段、１６…ポイント設定手段、１８…ポイント集計手段、２０…画像選択手段、２２…データ統合手段、２４…データ関連付け手段、２６…画像表示手段、２８…通信手段、３０…データ記憶手段、４０…ＣＰＵ、４１…ＲＡＭ、４２…ＲＯＭ、４３…補助記憶装置、４４…出力装置、４５…入力装置、Ｃ…メモリカード、Ｒ…メモリスロット、Ｐ…スピーカ、Ｄ…表示部、Ｓ…操作ボタン、Ｅ…決定ボタン、Ｍ…音声マイク、Ｎ…ネットワーク、Ｖ…画像ビューア。
【図１】
2004318861.tif 000007
【図２】
2004318861.tif 000008
【図３】
2004318861.tif 000009
【図４】
2004318861.tif 000010
【図５】
2004318861.tif 000011
【図６】
2004318861.tif 000012
【図７】
2004318861.tif 000013
【図８】
2004318861.tif 000014
【図９】
2004318861.tif 000015
【図１０】
2004318861.tif 000016
【図１１】
2004318861.tif 000017
【図１２】
2004318861.tif 000018
【図１３】
2004318861.tif 000019
【図１４】
2004318861.tif 000020
【図１５】
2004318861.tif 000021
【図１６】
2004318861.tif 000022
【図１７】
2004318861.tif 000023